(57)【要約】【課題】振動時の光学シートの移動による傷を抑制しつつ、熱膨張により該光学シートにシワが発生することを防止できる表示装置を提供する。【解決手段】矩形の光学シート３の一辺縁の中央部に設けられた中央係合鍔３４ａの係合孔３５ａにおいて、係合孔３５ａと係合する突起４３ａとの間隔を、中央係合鍔３４ａを除く他の係合鍔３４ｂの係合孔３５ｂより小さくすることによって、振動時の光学シート３の移動による傷を抑制しつつ、熱膨張によるシワ発生を防止する。
2017037856.tif 000002
【特許請求の範囲】
【請求項１】
表示パネルと、該表示パネルの厚み方向に突設された複数の突起が光学シートと係合することにより、前記表示パネルと対向するよう前記光学シートを保持する保持部材とを備える表示装置において、
前記光学シートは矩形であり、
前記保持部材の突起に対応する係合孔が形成され、前記光学シートの一辺縁に設けられた複数の係合鍔を備え、
前記複数の係合鍔は、前記一辺縁の中央部に設けられた中央係合鍔を含み、
該中央係合鍔の係合孔は、係合時における前記突起との間隔が、前記中央係合鍔を除く他の係合鍔の係合孔より小さいことを特徴とする表示装置。
【請求項２】
前記中央係合鍔の係合孔は、前記光学シートの面に沿う方向であって前記一辺縁と直交する方向での間隔の大きさが、前記光学シートの面に沿う方向であって前記一辺縁に沿う方向での間隔の大きさ以上であることを特徴とする請求項１に記載の表示装置。
【請求項３】
前記他の係合鍔の係合孔は、前記光学シートの面に沿う方向であって前記一辺縁と直交する方向での間隔の大きさが、前記光学シートの面に沿う方向であって前記一辺縁に沿う方向での間隔の大きさより小さいことを特徴とする請求項１に記載の表示装置。
【請求項４】
前記中央係合鍔の係合孔は、前記光学シートの面に沿う方向であって前記一辺縁と直交する方向にのみ間隔を有することを特徴とする請求項１に記載の表示装置。
【請求項５】
前記係合鍔は前記一辺縁と対向する他辺縁に設けられていることを特徴とする請求項１から４の何れかに記載の表示装置。
【請求項６】
前記保持部材の突起は一定の大きさを有しており、
前記中央係合鍔の係合孔は他の係合孔より小さいことを特徴とする請求項１から５の何れかに記載の表示装置。
【請求項７】
前記係合孔は一定の大きさを有しており、
前記中央係合鍔の係合孔に対応する突起は、前記他の係合鍔の係合孔に対応する突起より大きいことを特徴とする請求項１から５の何れかに記載の表示装置。
【発明の詳細な説明】
【技術分野】
【０００１】
本発明は、表示パネルと、該表示パネルの厚み方向に突設された複数の突起が光学シートと係合することにより、前記表示パネルと対向するよう前記光学シートを保持する保持部材とを備える表示装置に関する。
【背景技術】
【０００２】
液晶パネルを用いた表示装置の場合は、光源からの光を拡散又は集光させるために光学シートを備えている。該光学シートは、液晶パネルと光源との間に設けられる。【０００３】
このような光学シートは、前記光源が発する熱によって熱膨張し、シワ、撓み等が生じるため、それを防止するための様々な方法が提案されている。【０００４】
例えば、特許文献１においては、略矩形であるシート類の隣り合う２辺に複数の孔を設け、該孔を用いて該シート類を保持することにより、縦置き、横置きの何れの場合でもシート類にシワ、撓み等が生じない液晶表示装置が開示されている。
【先行技術文献】
【特許文献】
【０００５】
【特許文献１】特開２００４−２７９８６４号公報
【発明の概要】
【発明が解決しようとする課題】
【０００６】
一方、前記光学シートは箇所によって熱膨張量が異なるという問題点があり、該光学シートの熱膨張によるシワ発生の問題を解決するには、この問題点を考慮すべきである。しかし、特許文献１の液晶表示装置では斯かる問題点が考慮されていない。【０００７】
更に、斯かる表示装置の振動テスト、運送などの際には、該表示装置には振動が加わるので、該振動により、前記光学シートにガタツキが発生する場合は、該光学シートが移動することによって傷つく虞があるという問題点もある。しかしながら、特許文献１の液晶表示装置では、このような問題点に対しても考慮されていない。【０００８】
本発明は、斯かる事情に鑑みてなされたものであり、その目的とするところは、表示パネルと、該表示パネルの厚み方向に突設された複数の突起が光学シートと係合することにより、前記表示パネルと対向するよう前記光学シートを保持する保持部材とを備える表示装置において、前記問題点を考慮し、振動時の前記光学シートの移動による傷を抑制しつつ、熱膨張により該光学シートにシワが発生することを防止できる表示装置を提供することにある。
【課題を解決するための手段】
【０００９】
本発明に係る表示装置は、表示パネルと、該表示パネルの厚み方向に突設された複数の突起が光学シートと係合することにより、前記表示パネルと対向するよう前記光学シートを保持する保持部材とを備える表示装置において、前記光学シートは矩形であり、前記保持部材の突起に対応する係合孔が形成され、前記光学シートの一辺縁に設けられた複数の係合鍔を備え、前記複数の係合鍔は、前記一辺縁の中央部に設けられた中央係合鍔を含み、該中央係合鍔の係合孔は、係合時における前記突起との間隔が、前記中央係合鍔を除く他の係合鍔の係合孔より小さいことを特徴とする。【００１０】
本発明にあっては、前記光学シートは矩形であり、該光学シートの中央部での熱膨張量は小さい。従って、前記光学シートの前記一辺縁の中央部に設けられた中央係合鍔の係合孔における前記間隔を、前記中央係合鍔を除く他の係合鍔の係合孔より小さくして振動時の前記光学シートの移動による傷を抑制しながらも、熱膨張によるシワ発生の問題は生じない。【００１１】
本発明に係る表示装置は、前記中央係合鍔の係合孔は、前記光学シートの面に沿う方向であって前記一辺縁と直交する方向での間隔の大きさが、前記光学シートの面に沿う方向であって前記一辺縁に沿う方向での間隔の大きさ以上であることを特徴とする。【００１２】
本発明にあっては、前記光学シートは矩形であるので、前記一辺の中央部においては、前記光学シートの面に沿う方向であって前記一辺縁と直交する方向での熱膨張はある程度発生するが、前記光学シートの面に沿う方向であって前記一辺縁に沿う方向での熱膨張は殆どない。従って、前記光学シートの面に沿う方向であって前記一辺縁と直交する方向での間隔の大きさを十分大きくして、斯かる熱膨張に備える。【００１３】
本発明に係る表示装置は、前記他の係合鍔の係合孔は、前記光学シートの面に沿う方向であって前記一辺縁と直交する方向での間隔の大きさが、前記光学シートの面に沿う方向であって前記一辺縁に沿う方向での間隔の大きさより小さいことを特徴とする。【００１４】
本発明にあっては、前記光学シートは矩形であるので、前記一辺において中央部を除く箇所では、記光学シートの面に沿う方向であって前記一辺縁と直交する方向での熱膨張は、前記光学シートの面に沿う方向であって前記一辺縁に沿う方向、すなわち前記光学シート長手方向の熱膨張より小さい。従って、前記光学シートの長手方向での間隔の大きさを十分大きくして、斯かる熱膨張に備える。【００１５】
本発明に係る表示装置は、前記中央係合鍔の係合孔は、前記光学シートの面に沿う方向であって前記一辺縁と直交する方向にのみ間隔を有することを特徴とする。【００１６】
本発明にあっては、前記光学シートは矩形であるので、前記一辺の中央部においては、前記光学シートの面に沿う方向であって前記一辺縁と直交する方向での熱膨張はある程度発生するが、前記光学シートの面に沿う方向であって前記一辺縁に沿う方向での熱膨張は殆どない。従って、前記光学シートの面に沿う方向であって前記一辺縁と直交する方向での間隔のみを設け、斯かる熱膨張に備える。【００１７】
本発明に係る表示装置は、前記係合鍔は前記一辺縁と対向する他辺縁に設けられていることを特徴とする。【００１８】
本発明にあっては、前記光学シートが矩形であるので、例えば、一長辺、及び、該一長辺と対向する他長辺に前記係合鍔が設けられている。【００１９】
本発明に係る表示装置は、前記保持部材の突起は一定の大きさを有しており、前記中央係合鍔の係合孔は他の係合孔より小さいことを特徴とする。【００２０】
本発明にあっては、前記中央係合鍔の係合孔を他の係合孔より小さくすることにより、前記中央係合鍔の係合孔における前記間隔が、前記中央係合鍔を除く他の係合鍔の係合孔より小さくなるようにする。【００２１】
本発明に係る表示装置は、前記係合孔は一定の大きさを有しており、前記中央係合鍔の係合孔に対応する突起は、前記他の係合鍔の係合孔に対応する突起より大きいことを特徴とする。【００２２】
本発明にあっては、前記中央係合鍔の係合孔に対応する突起を、前記他の係合鍔の係合孔に対応する突起より大きくすることにより、前記中央係合鍔の係合孔における前記間隔が、前記中央係合鍔を除く他の係合鍔の係合孔より小さくなるようにする。
【発明の効果】
【００２３】
本発明によれば、前記光学シートの移動を確実に抑制しつつ、熱膨張により該光学シートにシワが発生することを防止できる。
【図面の簡単な説明】
【００２４】
【図１】実施の形態１における液晶テレビジョン受像機の外観を示す正面図である。
【図２】実施の形態１における液晶テレビジョン受像機を構成する要部を模式的に示す分解斜視図である。
【図３】実施の形態１に係る液晶テレビジョン受像機における、光学シートと保持部材との係合を説明する説明図である。
【図４】図３のＡ部分を拡大した拡大図である。
【図５】図３のＢ部分を拡大した拡大図である。
【図６】実施の形態１において、係合突起及び係合孔が係合する際、係合突起及び係合孔の間に存在する間隔を例示する例示図である。
【図７】実施の形態２に係る液晶テレビジョン受像機における、中央係合突起と中央係合孔との係合を説明する説明図である。
【発明を実施するための形態】
【００２５】
以下に、本発明の実施の形態に係る表示装置を、液晶パネルを備えるいわゆる液晶テレビジョン受像機に適用した場合を例として、図面に基づいて詳述する。
【００２６】
（実施の形態１）
図１は、実施の形態１における液晶テレビジョン受像機１００の外観を示す正面図である。液晶テレビジョン受像機１００おいて、液晶表示パネル１及び他の部品は、ベゼル２及び後述するバックライトシャーシ６に収容されている。
【００２７】
図２は、実施の形態１における液晶テレビジョン受像機１００を構成する要部を模式的に示す分解斜視図である。
【００２８】
本実施の形態に係る液晶テレビジョン受像機１００は、図１及び図２に示したように、表側の一面に矩形の液晶表示パネル１を備えており、液晶表示パネル１はその一面に映像を表示する。また、液晶表示パネル１の裏側には光学シート３と、保持部材４と、光源装置５と、バックライトシャーシ６とが斯かる順に設けられている。また、光源装置５は光源５１、導光板５２及び反射シート５３を有している。
【００２９】
光源装置５は、一面が開放された直方体の箱状をなすバックライトシャーシ６に収容されており、光学シート３の周縁側、及びバックライトシャーシ６の側壁側は矩形の枠形状のベゼル２によって取り囲まれている。
【００３０】
光学シート３は一面が液晶表示パネル１の他面と対向するように配置されており、また、導光板５２は一面が光学シート３の他面と対向するように配置され、更に反射シート５３は一面が導光板５２の他面と対向するように配置されている。
【００３１】
ベゼル２は、矩形状の枠体である。ベゼル２は、矩形の筒状の側板と、該側板の一端部から内向きに張り出した環状板の額縁部２１とからなり、液晶テレビジョン受像機１００の厚み方向での断面形状はＬ字状をなす。液晶表示パネル１より表側には、ベゼル２の額縁部２１が配置されている。ユーザは額縁部２１を介して液晶表示パネル１の前記一面に表示される画像を視認することができる。液晶表示パネル１は、前記一面の周縁部がベゼル２の額縁部２１によって覆われている。
【００３２】
液晶表示パネル１は、表示パネルであり、矩形の平板状をなす。液晶表示パネル１は、アクティブマトリクス方式を採用している。また、液晶表示パネル１は前記他面に偏光板（図示せず）を設けており、該偏光板を用いて入射される光をＰ波（水平偏光成分）とＳ波（垂直偏光成分）に分離し、Ｐ波だけが前記一面に向けて出て行き、Ｓ波は該偏光板に吸収されるように構成されている。液晶表示パネル１は、例えば電気泳動液晶パネルであっても良い。
【００３３】
液晶表示パネル１の前記他面側に設けられた光学シート３は、後述する光源５１から発せられ、導光板５２を介して入射される光に対して拡散、集光等を行ない、より均一な光を液晶表示パネル１に向けて出射させる、公知のものである。例えば、光学シート３は、重ね合わせた３枚の単位シート３１，３２，３３を有する。より詳しくは、光学シート３は２枚の拡散シート３１，３３と、１枚のプリズムシート３２とを有しており、プリズムシート３２は２枚の拡散シート３１，３３の間に介在している。拡散シート３１、プリズムシート３２及び拡散シート３３は同じ矩形であり、同一の大きさを有している。
【００３４】
２枚の拡散シート３１，３３のうち導光板５２側に配置された拡散シート３１は、導光板５２を介して光源５１から入射される光を拡散させてプリズムシート３２に入射させる光学シートである。また、プリズムシート３２は、拡散シート３１を介して入射される光を集光して拡散シート３３に向けて出射させる光学シートである。プリズムシート３２を通過した光は、プリズムシート３２に対して垂直に拡散シート３３へ入射される。
【００３５】
液晶表示パネル１側に配置された拡散シート３３は、プリズムシート３２を介して入射される光を更に拡散させてより均一な輝度分布にして液晶表示パネル１の前記他面に向けて出射させる光学シートである。以下においては、説明の便宜上、拡散シート３１，３３と、プリズムシート３２とをまとめて光学シート３とも言う。
【００３６】
また、光学シート３は、一長辺に、５つの係合鍔３４を有する。係合鍔３４は保持部材４との係合に用いられる。各係合鍔３４は矩形をなし、各係合鍔３４には、保持部材４との係合に用いられる係合孔３５が形成されている。例えば、係合孔３５は、光学シート３の長手方向に長い短冊状をなす。
【００３７】
前記５つの係合鍔３４（係合孔３５）は、後述する保持部材４の係合突起４３ａ，４３ｂに対応するよう設けられている。光学シート３の前記一長辺に沿う方向において、中央部に１つの係合鍔３４が設けられ、該中央部の係合鍔３４の両側に２つずつ係合鍔３４が同一間隔を挟んで設けられている。以下においては、前記中央部の係合鍔３４を中央係合鍔３４とも言い、該中央係合鍔３４の係合孔３５を中央係合孔３５とも言う。
【００３８】
光学シート３の前記他面側（導光板５２との対向面側）であって、該他面の周縁部付近には光学シート３を保持する保持部材４が設けられている。保持部材４は、光学シート３と係合を行うことにより、液晶表示パネル１と対向するよう光学シート３を保持する。
【００３９】
保持部材４は、矩形平板状の保持板４１の外周縁に周板４６を設け、保持板４１の中央部に矩形状の開口部を設けてなる枠体である。該開口部の大きさは、導光板５２の前記一面よりも小さい。
【００４０】
また、光学シート３と対向する保持板４１の一面４２における一長辺側の縁部には、液晶表示パネル１の厚み方向に突設された複数の係合突起４３ａ，４３ｂが設けられている。前記一長辺の中央部には、複数の係合突起４３ａ，４３ｂのうち、係合突起４３ａ（以下、中央係合突起４３ａという）が設けられ、他の箇所には係合突起４３ｂが設けられている。前記一長辺に沿う方向において、中央係合突起４３ａの両側に２ずつ係合突起４３ｂが設けられている。以下においては、係合突起４３ａ，４３ｂを略して係合突起４３ともいう。係合突起４３ａ，４３ｂの詳細については後述する。
【００４１】
光学シート３の他面側には矩形の導光板５２が配置されている。すなわち、導光板５２の前記一面は光学シート３の前記他面と対向して配置されている。導光板５２は光源５１から出射され、その一側面から入射される光を拡散させて前記一面から光学シート３に向けて出射させる。
【００４２】
導光板５２は、例えば、透明の板材（ガラス、アクリル樹脂、ポリカーボネート樹脂等）からなる。光源としてＬＥＤのような点光源を使用した場合、導光板５２は各点光源からの光を拡散させて均一に面発光として前記一面から出射させる。
【００４３】
反射シート５３は、例えば、矩形であり、その一面が導光板５２の前記他面と対向するように配置され、導光板５２の前記他面から出射される光を導光板５２に戻す。
【００４４】
また、導光板５２の前記一側面には、光源５１が設けられている。光源５１は、例えば、基板５４上に実装された複数の発光ダイオード（ＬＥＤ：Ｌｉｇｈｔ Ｅｍｉｔｔｉｎｇ Ｄｉｏｄｅ）５５を含む。
【００４５】
図３は実施の形態１に係る液晶テレビジョン受像機１００における、光学シート３と保持部材４との係合を説明する説明図である。
【００４６】
光学シート３は、保持部材４の保持板４１の開口部を覆うように保持部材４に保持されている。換言すれば、保持部材４は、光学シート３が液晶表示パネル１と対向するように、光学シート３を保持する。また、光学シート３は、保持部材４の前記開口部よりも大きく、光学シート３の周縁部が保持板４１の環状の一面４２にて保持される。
【００４７】
光学シート３の係合鍔３４が保持部材４の保持板４１の一面４２と当接した状態にて、保持部材４は、中央係合突起４３ａ及び係合突起４３ｂに、光学シート３の係合鍔３４の係合孔３５を係合させることで光学シート３を位置決めして保持する。すなわち、中央係合鍔３４ａの中央係合孔３５ａは保持部材４の中央係合突起４３ａと係合しており、他の係合鍔３４ｂの係合孔３５ｂは保持部材４の係合突起４３ｂと係合している。
【００４８】
中央係合孔３５ａ及び係合孔３５ｂは何れも短冊状をなしており、中央係合突起４３ａ及び係合突起４３ｂは、光学シート３の厚み方向において、夫々中央係合孔３５ａ及び係合孔３５ｂに倣う形状を有している。
【００４９】
このように、中央係合孔３５ａ及び係合孔３５ｂと、中央係合突起４３ａ及び係合突起４３ｂとが係合することにより、光学シート３は保持部材４に保持される。
【００５０】
しかし、実施の形態１に係る液晶テレビジョン受像機１００においては、係合時における、係合孔３５及び係合突起４３の間の間隔が、箇所によって異なるように構成されている。
【００５１】
図４は図３のＡ部分を拡大した拡大図であり、図５は図３のＢ部分を拡大した拡大図である。図４においては、中央係合突起４３ａ及び中央係合孔３５ａの係合を示しており、図５においては、係合突起４３ｂ及び係合孔３５ｂの係合を示している。
【００５２】
換言すれば、図４は光学シート３の長手方向における中央部での係合を示しており、図５は該中央部以外の箇所での係合を示している。ここで、中央部は、例えば、光学シート３の長手方向の中心から、±１０％の範囲を言う。なお、斯かる範囲は、光学シート３の長手方向の寸法を基準とする。
【００５３】
図６は実施の形態１において、係合突起４３及び係合孔３５が係合する際、係合突起４３及び係合孔３５の間に存在する間隔を例示する例示図である。
【００５４】
以下の説明においては、図６に示したように、光学シート３の面に沿う方向であって斯かる一長辺と直交する方向をＹ方向と言い、また、光学シート３の面に沿う方向であって該一長辺に沿う方向をＸ方向と言う。
【００５５】
また、前記Ｙ方向において、係合突起４３の上側（図面視）に存在する、係合突起４３及び係合孔３５の間の間隔を間隔ａと言い、係合突起４３の下側（図面視）に存在する、係合突起４３及び係合孔３５の間の間隔を間隔ｂと言う。
【００５６】
更に、前記Ｘ方向において、係合突起４３の左側（図面視）に存在する、係合突起４３及び係合孔３５の間の間隔を間隔ｃと言い、係合突起４３の右側（図面視）に存在する、係合突起４３及び係合孔３５の間の間隔を間隔ｄと言う。
【００５７】
一方、図４に示しているように、中央係合突起４３ａと中央係合孔３５ａとの係合においては、間隔ａは存在せず、間隔ｂ、間隔ｃ及び間隔ｄのみが存在するように構成されており、間隔ｂは間隔ｃ又は間隔ｄの何れよりも大きい。
【００５８】
また、間隔ｃ及び間隔ｄの和からなるＸ方向の間隔の大きさは、間隔ａ及び間隔ｂの和からなるＹ方向の間隔の大きさ以下であるように構成されている。
【００５９】
このように、光学シート３の長手方向における中央部での係合では、前記Ｙ方向の間隔は十分に確保するが、前記Ｘ方向の間隔は最小限に抑えることにより、光学シート３の熱膨張に対応できると共に、振動により光学シート３にガタツキが発生することに対応できる。
【００６０】
詳しくは、光学シート３の中央部での熱膨張は主に前記Ｙ方向での線膨張であり、前記Ｘ方向での線膨張は殆どない。これに鑑み、前記Ｙ方向の間隔を十分に確保することにより、光学シート３の熱膨張の際、光学シート３が前記Ｙ方向に自由に膨張・収縮でき、中央係合孔３５ａ（中央係合突起４３ａ）付近にてシワが発生することを未然に防止できる。
【００６１】
また、前記Ｘ方向の間隔は最小限に抑えることにより、光学シート３の移動が拘束される。従って、外部からの与えられた振動によって光学シート３にガタツキが発生することを防ぎ、該ガタツキによって光学シート３に傷が発生することを未然に防止できる。このような拘束力は間隔ａを無くすことにより、更に大きくなる。
【００６２】
このような構成は、係合孔３５の大きさは一定にして、中央係合突起４３ａを係合突起４３ｂより大きくすることによりなしても良く、係合突起４３の大きさを一定にして、中央係合孔３５ａを係合孔３５ｂより小さくすることによりなしても良い。
【００６３】
また、図５に示しているように、係合突起４３ｂと係合孔３５ｂとの係合においても、間隔ａは存在せず、間隔ｂ、間隔ｃ及び間隔ｄのみが存在するように構成されており、間隔ｂは間隔ｃ又は間隔ｄの何れよりも大きい。
【００６４】
一方、係合突起４３ｂと係合孔３５ｂとの係合においては、上述したＸ方向の間隔の大きさは、上述したＹ方向の間隔の大きさより大きくなるように構成されている。
【００６５】
このように、光学シート３にて前記中央部を除く他の箇所での係合では、前記Ｘ方向及び前記Ｙ方向の間隔を十分に確保するものの、前記Ｘ方向の間隔が前記Ｙ方向の間隔より大きくなるよう構成することにより、光学シート３の熱膨張に効果的に対応できる。
【００６６】
詳しくは、光学シート３にて中央部を除く他の箇所では、前記Ｘ方向及び前記Ｙ方向にて線膨張（熱膨張）が発生し、特に前記Ｘ方向での線膨張は前記中央部に比べて大きい。また、光学シート３は矩形であるので、長手方向であるＸ方向での熱膨張が短手方向であるＹ方向での熱膨張より大きい。従って、前記Ｘ方向の間隔を前記Ｙ方向の間隔より大きくすることにより、より適切に光学シート３の熱膨張に対応でき、係合孔３５ｂ（係合突起４３ｂ）付近にてシワが発生することを未然に防止できる。
【００６７】
また、間隔ａを無くすことにより、光学シート３の移動を拘束する拘束力に寄与できる。
【００６８】
更に、光学シート３にて中央部を除く他の箇所での係合では、前記Ｘ方向及び前記Ｙ方向に対する光学シート３の大きさに対して、０．１〜０．２％の間隔を有するようにすれば良い。望ましくは、前記間隔の最小値が前記Ｘ方向において０．１５％であれば良い。
【００６９】
一方、前記間隔の最大値は、光学シート３の材質によって異なるが、例えば、１％であれば良い。望ましくは、前記最小値の２〜３倍程度であれば良い。
【００７０】
なお、本発明はこれに限るものでなく、前記中央部から遠い箇所での係合ほど、間隔ｃ及び間隔ｄが大きくなるように構成しても良い。また、前記中央部から遠い箇所での係合ほど、前記Ｙ方向の間隔と前記Ｘ方向の間隔の差が大きくなるように構成しても良い。
【００７１】
このような構成は、係合孔３５の大きさ、又は、係合突起４３の大きさの何れかを調整することによりなしても良い。
【００７２】
（実施の形態２）
図７は実施の形態２に係る液晶テレビジョン受像機１００における、中央係合突起４３ａと中央係合孔３５ａとの係合を説明する説明図である。
【００７３】
実施の形態２においては、中央係合突起４３ａと中央係合孔３５ａとの係合において、間隔ａ、間隔ｄ及び間隔ｃが存在せず、間隔ｂのみが存在するように構成されている。
【００７４】
このような構成によって、前記Ｙ方向への光学シート３の熱膨張に対応しつつ、光学シート３の移動を拘束する拘束力を更に大きくすることが出来る。
【００７５】
本発明は以上の記載に限るものでなく、間隔ａが所定の大きさを有するように構成しても良い。
【００７６】
また、以上の記載においては、係合鍔３４（係合孔３５）が光学シート３の前記一長辺にのみ設けられ、係合孔３５に対応するよう、保持部材４に係合突起４３が設けられている場合を例に挙げて説明した。しかし、本発明はこれに限るものでない。例えば、光学シート３の前記一長辺と対向する他長辺にも係合鍔３４（係合孔３５）が設けられた構成であっても良い。
【００７７】
更に、以上の説明では、液晶テレビジョン受像機１００がいわゆるエッジ型バックライトを用いる場合を例に挙げて説明したが、本発明はこれに限るものでなく、いわゆる直下型バックライトを用いる場合でも適用可能である。
【符号の説明】
【００７８】
１  液晶表示パネル
３  光学シート
４  保持部材
３４  係合鍔
３４ａ  中央係合鍔
３４ｂ  他の係合鍔
３５  係合孔
４３  係合突起
１００  液晶テレビジョン受像機
ａ，ｂ，ｃ，ｄ  間隔
【図１】
2017037856.tif 000003
【図２】
2017037856.tif 000004
【図３】
2017037856.tif 000005
【図４】
2017037856.tif 000006
【図５】
2017037856.tif 000007
【図６】
2017037856.tif 000008
【図７】
2017037856.tif 000009
【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
表示パネルと、
光学シートと、
前記表示パネルと対向するよう前記光学シートを保持する保持部材と
を備え、
前記保持部材は、前記表示パネルの厚み方向に突設された、前記光学シートと係合する複数の突起を有し、
前記光学シートは矩形であり、
前記光学シートの一辺に沿って形成され、前記保持部材の複数の突起のそれぞれに係合する複数の係合孔を有し、
前記複数の係合孔は、前記一辺の中央部に設けられた中央係合孔を含み、
前記複数の突起のうち前記中央係合孔に係合する中央係合突起と該中央係合孔との係合時における前記中央係合孔の周縁と前記中央係合突起との間の間隔が、前記中央係合孔を除く少なくとも１つの他の係合孔の周縁と前記中央係合突起以外の少なくとも１つの他の突起との間の間隔より小さく、
前記中央係合孔は、前記光学シートの面に沿う方向であって前記一辺と直交する方向での前記中央係合孔の周縁と前記中央係合突起との間の間隔の大きさが、前記光学シートの面に沿う方向であって前記一辺に沿う方向での前記中央係合孔の周縁と前記中央係合突起との間の間隔の大きさ以上であることを特徴とする表示装置。
【請求項２】
前記他の係合孔は、前記光学シートの面に沿う方向であって前記一辺と直交する方向での前記他の係合孔の周縁と前記他の突起との間の間隔の大きさが、前記光学シートの面に沿う方向であって前記一辺に沿う方向での前記他の係合孔の周縁と前記他の突起との間の間隔の大きさより小さいことを特徴とする請求項１に記載の表示装置。
【請求項３】
前記他の係合孔は、前記中央係合孔に対して前記一辺に沿う方向で両方向に形成された複数の他の係合孔を含み、
前記複数の他の係合孔は、前記中央係合孔から離れるにしたがって、前記光学シートの面に沿う方向であって前記一辺に沿う方向での前記他の係合孔の周縁と前記他の突起との間の間隔が大きくなる、請求項２に記載の表示装置。
【請求項４】
前記中央係合孔の周縁と前記中央係合突起との間の間隔は、前記光学シートの面に沿う方向であって前記一辺と直交する方向にのみ形成されることを特徴とする請求項１に記載の表示装置。
【請求項５】
前記係合孔は前記光学シートの前記一辺と対向する他辺にさらに設けられていることを特徴とする請求項１から４の何れかに記載の表示装置。
【請求項６】
前記保持部材の前記複数の突起は一定の大きさを有しており、
前記中央係合孔は他の係合孔より小さいことを特徴とする請求項１から５の何れかに記載の表示装置。
【請求項７】
前記複数の係合孔は一定の大きさを有しており、
前記中央係合突起は、前記他の係合突起より大きいことを特徴とする請求項１から５の何れかに記載の表示装置。
【請求項８】
前記光学シートの前記一辺に沿って複数の係合鍔が設けられており、前記複数の係合孔がそれぞれ前記複数の係合鍔に形成されている、請求項１から７の何れかに記載の表示装置。
【請求項９】
表示パネルと、
光学シートと、
前記表示パネルと対向するよう前記光学シートを保持する保持部材と
を備え、
前記保持部材は、前記表示パネルの厚み方向に突設された、前記光学シートと係合する複数の突起を有し、
前記光学シートは矩形であり、
前記光学シートの一辺に沿って形成され、前記保持部材の複数の突起のそれぞれに係合する複数の係合孔を有し、
前記複数の係合孔は、前記一辺の中央部に設けられた中央係合孔を含み、
前記複数の突起のうち前記中央係合孔に係合する中央係合突起と該中央係合孔との係合時における前記中央係合孔の周縁と前記中央係合突起との間の間隔が、前記中央係合孔を除く少なくとも１つの他の係合孔の周縁と前記中央係合突起以外の少なくとも１つの他の突起との間の間隔より小さく、
前記中央係合孔の周縁と前記中央係合突起との間の間隔は、前記光学シートの面に沿う方向であって前記一辺と直交する方向にのみ形成される、表示装置。
【請求項１０】
前記他の係合孔は、前記中央係合孔に対して前記一辺に沿う方向で両方向に形成された複数の他の係合孔を含み、
前記複数の他の係合孔は、前記中央係合孔から離れるにしたがって、前記光学シートの面に沿う方向であって前記一辺に沿う方向での前記他の係合孔の周縁と前記他の突起との間の間隔が大きくなる、請求項９に記載の表示装置。
【請求項１１】
前記中央係合孔の周縁と前記中央係合突起との間の間隔は、前記光学シートの面に沿う方向であって前記一辺と直交する方向にのみ形成されることを特徴とする請求項９に記載の表示装置。
【請求項１２】
前記係合孔は前記光学シートの前記一辺と対向する他辺にさらに設けられていることを特徴とする請求項９から１１の何れかに記載の表示装置。
【請求項１３】
前記保持部材の前記複数の突起は一定の大きさを有しており、
前記中央係合孔は他の係合孔より小さいことを特徴とする請求項９から１２の何れかに記載の表示装置。
【請求項１４】
前記複数の係合孔は一定の大きさを有しており、
前記中央係合突起は、前記他の係合突起より大きいことを特徴とする請求項９から１２の何れかに記載の表示装置。
【請求項１５】
前記光学シートの前記一辺に沿って複数の係合鍔が設けられており、前記複数の係合孔がそれぞれ前記複数の係合鍔に形成されている、請求項９から１４の何れかに記載の表示装置。
【請求項１６】
表示パネルと、
光学シートと、
前記表示パネルと対向するよう前記光学シートを保持する保持部材と
を備え、
前記保持部材は、前記表示パネルの厚み方向に突設された、前記光学シートと係合する複数の突起を有し、
前記光学シートは矩形であり、
前記光学シートの一辺に沿って形成され、前記保持部材の複数の突起のそれぞれに係合する複数の係合孔を有し、
前記複数の係合孔は、前記一辺の中央部に設けられた中央係合孔を含み、
前記複数の突起のうち前記中央係合孔に係合する中央係合突起と該中央係合孔との係合時における前記中央係合孔の周縁と前記中央係合突起との間の間隔が、前記中央係合孔を除く少なくとも１つの他の係合孔の周縁と前記中央係合突起以外の少なくとも１つの他の突起との間の間隔より小さく、
前記複数の係合孔は一定の大きさを有しており、
前記中央係合突起は、前記他の係合突起より大きい、表示装置。
【手続補正２】
【補正対象書類名】明細書
【補正対象項目名】００２６
【補正方法】変更
【補正の内容】
【００２６】
（実施の形態１）
図１は、実施の形態１における液晶テレビジョン受像機１００の外観を示す正面図である。液晶テレビジョン受像機１００において、液晶表示パネル１及び他の部品は、ベゼル２及び後述するバックライトシャーシ６に収容されている。
【国際調査報告】
2017037856.tif 000010
2017037856.tif 000011
2017037856.tif 000012